(57)【特許請求の範囲】
【請求項１】
主装置に対し複数の増設装置をコネクタ形状が同一なコネクタ付ケーブルにて増設可能な電子システムにおいて、
リセット信号とグランド信号の配線のみを端部に設けたコネクタ間においてクロス接続したコネクタ付ケーブルと、
入力側と出力側におけるリセット信号端子とグランド信号端子の端子配列をクロス接続となるべく変更した増設装置と、
を備え、主装置、増設装置間にて上記コネクタ付ケーブルにより誤配線した場合に、各装置間のリセット信号とグランド信号が相互に接続されることを特徴とする電子システム。
【請求項２】
主装置、増設装置における外部出力バッファとして、リセット信号と電気的に接続されたトライステート出力バッファを用いることを特徴とする請求項１に記載の電子システム。
【請求項３】
主装置において、誤接続時に発光するＬＥＤをリセット信号と電気的に接続したことを特徴とする請求項１に記載の電子システム。
【発明の詳細な説明】
【０００１】
【発明の属する技術分野】
この発明は、電子システムに関わり、コネクタ付ケーブルの誤接続によりシステムが誤動作しないよう停止させる誤接続保護手段、誤接続により接続された装置の内部回路が破壊されることを防止する誤接続保護手段、および瞬時に誤接続を検出するための誤接続検出手段に関するものである。
【０００２】
【従来の技術】
まず、従来の誤接続保護手段について以下に説明する。
図５は、従来の電子装置システムにおけるケーブル正常接続時の構成を示した構成図である。
同において、２１はシステムにおいて主たる制御をつかさどる主装置、２２は主装置２１の機能を拡張するための増設装置であり、複数台（説明の便宜上、２台とする）の増設装置がコネクタ付きケーブル２３により接続されている。
なお、増設装置２２は、主装置２１に近い側から順番に増設装置（１）、増設装置（２）、・・増設装置（ｎ）とする。
２３は主装置２１と増設装置２２、または各増設装置間を接続するコネクタ付きケーブルである。
【０００３】
主装置２１において、２１ａは主装置２１上の内部回路のうち制御の中心的役割を担う制御回路部、２１ｂはコネクタ付ケーブル２３を接続するため主装置２１上に実装している増設用コネクタ、２１ｃは増設装置２２へ信号を出力するため主装置２１上の内部回路の一部として実装されているトーテムポール出力タイプの出力バッファ、２１ｄは増設装置２２から信号を入力するため、主装置２１上の内部回路の一部として実装されている入力バッファ、２１ｅはシステム全体にリセット信号を出力するため、主装置２１上の内部回路の一部として実装されているオープンコレクタ出力のインバーターゲート、２１ｆは主装置２１上の内部回路の一部として実装されているプルアップ抵抗、２１ｇは主装置２１上のアクティブＬＯＷのリセット信号線、２１ｈは主装置２１上のグランド信号線である。
【０００４】
増設装置２２において、２２ａは増設装置２２上の内部回路のうち制御の中心的役割を担う制御回路部、２２ｂ、２２ｃはコネクタ付ケーブル２３を接続するため増設装置２２上に実装している増設用コネクタ、２２ｄ、２２ｅは主装置２１または他の増設装置２２から信号を入力するため増設装置２２上の内部回路の一部として実装されている入力バッファ、２２ｆ、２２ｇは主装置２１または他の増設装置２２へ信号を出力するため増設装置２２上の内部回路の一部として実装されているトーテムポール出力タイプの出力バッファ、２２ｈは増設装置２２上の内部回路の一部として実装されているプルアップ抵抗、２２ｉはシステム全体にリセット信号を出力するため、増設装置２２上の内部回路の一部として実装されているオープンコレクタ出力のインバーターゲート、２２ｊは前記増設装置２２上のアクティブＬＯＷのリセット信号線、２２ｋは増設装置２２上の複数のグランド信号線のうちの１本のグランド信号線である。
【０００５】
コネクタ付ケーブル２３において、２３ａはコネクタ付ケーブル２３内のリセット信号線、２３ｂはコネクタ付ケーブル２３内において複数本あるうちの１本のグランド信号線である。なお、コネクタ付ケーブル２３の両端のコネクタは同一ピン番号同士で接続（ストレート接続）されている。
【０００６】
次に、従来のケーブル誤接続保護手段について以下に説明する。
図５において、増設用コネクタ２１ｂ、２２ｂ、２２ｃはすべて物理的に同種類のコネクタを搭載している状態で、主装置２１に増設装置２２のうちの増設装置（１）を追加する場合、主装置２１上の増設用コネクタ２１ｂと増設装置（１）上の増設用コネクタ２２ｂがコネクタ付ケーブル２３にて誤接続されると、出力バッファ２１ｃと２２ｇが接続されることとなり、誤動作の発生や、出力バッファ破壊が発生する恐れがある。
また、増設装置２２のうちの増設装置（１）に増設装置（２）を追加する場合、増設装置（１）上の増設用コネクタ２２ｂと増設装置（２）上の増設用コネクタ２２ｂを誤接続した場合、増設装置（１）上の出力バッファ２２ｇと増設装置（２）上の出力バッファ２２ｇ同士が短絡されることとなり、同様に誤動作の発生や、出力バッファ破壊が発生する恐れがある。
同様にして、増設装置（１）上の増設用コネクタ２２ｃと増設装置（２）上の増設用コネクタ２２ｃを誤接続した場合、増設装置（１）上の出力バッファ２２ｆと増設装置（２）上の出力バッファ２２ｆ同士が短絡されることとなり、誤動作の発生や、出力バッファ破壊が発生する恐れがある。
【０００７】
そこで、従来では、上記誤接続を防止するため、増設用コネクタ２１ｂ、２２ｂに対して２２ｃには別形状のコネクタを使用したり、誤挿入防止キーを使用するなど、物理的に誤接続が発生しないような対策が従来施されてきた。
また、増設用コネクタ２１ｂ、２２ｂ、２２ｃがすべて同一形状のコネクタの場合には、トーテムポール出力タイプの出力バッファ２１ｃ、２２ｆ、２２ｇの代わりに出力同士が短絡されても破壊することがないオープンコレクタ出力のバッファを使用するという方法も実施されてきた。
【０００８】
【発明が解決しようとする課題】
しかし、上記のような接続端子の形状を異ならせることによる誤接続保護手段では、増設用コネクタが２種類、コネクタ付ケーブルのコネクタも２種類必要となるため、部品点数の増加に伴うコストアップや管理費の増加を招いていた。
そして、誤挿入防止キーを使用できる端子は、ピンタイプの端子に限定され、高密度実装を実現するためのベローズタイプの端子には使用できなかった。
また、オープンコレクタ出力のバッファを使用した場合、信号がＬＯＷレベルからＨＩＧＨレベルに切り替わる時間がプルアップ抵抗による充電時間に依存するため、トーテムポール出力タイプの出力バッファがＬＯＷレベルからＨＩＧＨレベルに切り替える時間に比べて遅延が大きくなってしまうという問題があった。
加えて、オープンコレクタ出力のバッファは、ＨＩＧＨレベルを出力しない（オープンコレクタ出力のバッファはＬＯＷレベルの出力とハイインピーダンス状態の何れかの状態）ため、出力ピンにプルアップ抵抗を接続してＨＩＧＨレベルにする必要があり、各オープンコレクタ出力のバッファ１個につき１個プルアップ抵抗が必要となってしまい、部品点数が増えてしまっていた。
【０００９】
本発明は、かかる問題点を解決するためになされたもので、主装置および増設装置上に搭載されている増設用コネクタの種類が全て同一のベローズタイプ端子の場合でも、バッファ破損を防止することを目的としている。
【００１０】
【課題を解決するための手段】
この発明に係る電子システムは、主装置に対し複数の増設装置をコネクタ形状が同一なコネクタ付ケーブルにて増設可能な電子システムにおいて、リセット信号とグランド信号の配線のみを端部に設けたコネクタ間においてクロス接続したコネクタ付ケーブルと、入力側と出力側におけるリセット信号端子とグランド信号端子の端子配列をクロス接続となるべく変更した増設装置と、を備え、主装置、増設装置間にて上記コネクタ付ケーブルにより誤配線した場合に、各装置間のリセット信号とグランド信号が相互に接続されるものである。
【００１１】
また、主装置、増設装置における外部出力バッファとして、リセット信号と電気的に接続されたトライステート出力バッファを用いるものである。
【００１２】
さらに、主装置において、誤接続時に発光するＬＥＤをリセット信号と電気的に接続したものである。
【００１３】
【発明の実施の形態】
以下に添付の図を参照してこの発明の実施の形態を詳細に説明する。
【００１４】
実施の形態１．
まず、実施の形態１の構成について以下に説明する。
図１は、この発明におけるケーブル誤接続保護手段を搭載した電子装置システムのケーブル正常接続時の構成例を示した構成図である。
図において、１はシステムにおいて主たる制御をつかさどる主装置、２は主装置１の機能を拡張するための増設装置であり、複数台（説明の便宜上、２台とする）の増設装置がコネクタ付きケーブル３により接続されている。なお、増設装置２は、主装置１に近い側から順番に増設装置（１）、増設装置（２）、・・増設装置（ｎ）とする。
３は主装置１と増設装置２、または各増設装置間を接続するコネクタ付きケーブルである。
【００１５】
主装置１において、１ａは主装置１上の内部回路のうち制御の中心的役割を担う制御回路部、１ｂはコネクタ付ケーブル３を接続するため主装置１上に実装している増設用コネクタ、１ｃは増設装置２から信号を入力するため主装置１上の内部回路の一部として実装されている入力バッファ、１ｄはシステム全体のリセット信号を出力するため、主装置１上の内部回路の一部として実装されているオープンコレクタ出力のインバーターゲート、１ｅは主装置１上の内部回路の一部として実装されているプルアップ抵抗、１ｆは主装置１上のアクティブＬＯＷのリセット信号線、１ｇは主装置１上のグランド信号線、１ｈは増設装置２へ信号を出力するため、主装置１上の内部回路の一部として実装されているトーテムポール出力タイプのトライステート出力バッファである。
【００１６】
増設装置２において、２ａは増設装置２上の内部回路のうち制御の中心的役割を担う制御回路部、２ｂ、２ｃは後述のコネクタ付ケーブル３を接続するため増設装置２上に実装している増設用コネクタ、２ｄ、２ｅは主装置１または接続される他の増設装置２から信号を入力するため、増設装置２上の内部回路の一部として実装されている入力バッファ、２ｆは増設装置１上の内部回路の一部として実装されているプルアップ抵抗、２ｇはシステム全体にリセット信号を出力するため、増設装置２上の内部回路の一部として実装されているオープンコレクタ出力のインバーターゲート、２ｈ、２ｉは主装置１または他の増設装置２へ信号を出力するため、増設装置２上の内部回路の一部として実装されているトーテムポール出力タイプのトライステート出力バッファ、２ｊは本発明による前記増設装置２上のアクティブＬＯＷのリセット信号線、２ｋは本発明による前記増設装置２上の複数のグランド信号線のうちの１本のグランド信号線である。
【００１７】
コネクタ付ケーブル３において、３ａは本発明によるコネクタ付ケーブル３内のリセット信号線、３ｂは本発明によるコネクタ付ケーブル３内の複数本あるうちの１本のグランド信号線である。
なお、コネクタ付ケーブル３の両端のコネクタは、リセット信号線３ａと１本のグランド信号線３ｂ以外の信号線はすべて同一ピン番号同士で接続（ストレート接続）されている。
【００１８】
図２は、図１のケーブル誤接続保護手段を搭載した電子装置システムにおいて、ケーブル誤接続時の構成例を示した構成図であり、図中の各番号は図１と同一である。
図２においては、増設装置２における増設装置（１）、増設装置（２）間のコネクタ付ケーブル３が誤接続（ＯＵＴ端子同士が接続）されている。
【００１９】
次に、本実施の形態１の動作について以下に説明する。
図１の如く正常に接続された状態において、例えば、主装置又は増設装置内の異常を検出しない場合や、ユーザによるリセット操作がなされていないときは、制御回路部からのリセット信号は出力されず（ノンアクティブ）、リセット信号線１ｆ、２ｊはＨｉｇｈレベルとなる。
その際、主装置１における制御回路部１ａ、増設装置２における制御回路部２ａは、コネクタ付ケーブル３を介してそれぞれの入力バッファ及びトライステート出力バッファを介してデータのやり取りを行っている。
一方、制御回路部からリセット信号が出力された場合（アクティブ）は、リセット信号線１ｆ、２ｊはＬｏｗレベルとなり、システムにおいてリセットが行われる（トライステート出力バッファは全てハイインピーダンス状態となり、出力がＯＦＦとなる）。
【００２０】
図２で示すように増設装置２の内の増設装置（１）から増設装置（２）へのケーブル接続を間違えた時、増設装置２においてコネクタ２ｂ、２ｃ間の信号線のうちリセット信号線２ｊとグランド信号線２ｋはクロス接続されているため、増設装置（２）上のグランド信号線２ｋが、主装置１上のリセット信号線１ｆ及び、増設装置（１）上のリセット信号線２ｊと接続され、ＬＯＷレベルとなる。
同様に、増設装置（２）上のリセット信号線２ｊは、増設装置（１）上のグランド線２ｋと接続されＬＯＷレベルとなる。
よって、主装置１および複数の増設装置２上のリセット信号がすべてアクティブとなるため、システムがリセット状態を保持し誤動作を防止できる。
【００２１】
また、誤接続により、リセット信号がＬＯＷレベルになったため、主装置１上のトライステート出力バッファ１ｈ及び複数の増設装置２上のトライステート出力バッファ２ｈ、２ｉはすべてハイインピーダンス状態となり出力がＯＦＦするため、出力同士の短絡によるバッファ破壊を防止できる。
【００２２】
以上のように本実施の形態１は、従来のコネクタ付ケーブルの内部配線のうちリセット信号線とグランド信号線１本のみをクロス配線とし、同様に増設装置上の２つの増設用コネクタ間の信号配線のうちのリセット信号線とグランド信号線１本をクロス配線とすることにより、ケーブル誤接続時にその誤接続された個所のリセット信号線がグランド信号線に短絡されリセット信号がＨＩＧＨレベル（リセット未発生状態）からＬＯＷレベル（リセット発生状態）に切り替わり、最終的にはシステム全体のリセット信号がＬＯＷレベル（リセット状態）に切り替わるため、コネクタ付ケーブルの線芯数やコネクタのピン数を増やすことなくケーブル誤接続を検出してシステムが誤動作しないようにする効果を奏する。
【００２３】
加えて、主装置および増設装置内の内部回路の一部であるトーテムポール出力タイプの出力バッファと同等のデータ伝送速度にするために、オープンコレクタタイプのバッファではなく、トーテムポール出力タイプのトライステート出力バッファに変更し、前記トライステート出力バッファの出力ＯＮ／ＯＦＦ制御ピンにリセット信号を接続することにより、ケーブル誤接続時に方向性のあるトライステート出力バッファの出力をＯＦＦできるため、前記トライステート出力バッファ破壊を防止する効果を奏する。
【００２４】
実施の形態２．
次に、実施の形態２の構成について以下に説明する。
図３は、この発明におけるケーブル誤接続保護手段を搭載した電子装置システムのケーブル正常接続時の構成例を示した構成図である。
図において、１１はシステムにおいて主たる制御をつかさどる主装置、１２は主装置１１の機能を拡張するための増設装置であり、複数台（説明の便宜上、２台とする）の増設装置がコネクタ付きケーブル１３により接続されている。なお、増設装置１２は、主装置１１に近い側から順番に増設装置（１）、増設装置（２）、・・増設装置（ｎ）とする。
１３は主装置１１と増設装置１２、または各増設装置間を接続するコネクタ付きケーブルである。
【００２５】
主装置１１において、１１ａは主装置１１上の内部回路のうち制御の中心的役割を担う制御回路部、１１ｂはコネクタ付ケーブル１３を接続するため主装置１１上に実装している増設用コネクタ、１１ｃは増設装置１２から信号を入力するため主装置１１上の内部回路の一部として実装されている入力バッファ、１１ｄはシステム全体のリセット信号を出力するため、主装置１１上の内部回路の一部として実装されているオープンコレクタ出力のインバーターゲート、１１ｅは主装置１１上の内部回路の一部として実装されているプルアップ抵抗、１１ｆは主装置１１上のアクティブＬＯＷのリセット信号線、１１ｇは主装置１１上のグランド信号線、１１ｈは増設装置１２へ信号を出力するため、主装置１１上の内部回路の一部として実装されているトーテムポール出力タイプのトライステート出力バッファ、１１ｉは主装置１１上の内部回路の一部として実装されているプルアップ抵抗、１１ｊは主装置１１上のアクティブＬＯＷの誤接続検出信号線、１１ｈは主装置１１上の誤接続検出ＬＥＤである。
【００２６】
増設装置１２において、１２ａは増設装置２上の内部回路のうち制御の中心的役割を担う制御回路部、１２ｂ、１２ｃは後述のコネクタ付ケーブル１３を接続するため増設装置１２上に実装している増設用コネクタ、１２ｄ、１２ｅは主装置１１または接続される他の増設装置２から信号を入力するため、増設装置１２上の内部回路の一部として実装されている入力バッファ、１２ｆは増設装置１１上の内部回路の一部として実装されているプルアップ抵抗、１２ｇはシステム全体にリセット信号を出力するため、増設装置１２上の内部回路の一部として実装されているオープンコレクタ出力のインバーターゲート、１２ｈ、１２ｉは主装置１１または他の増設装置１２へ信号を出力するため、増設装置１２上の内部回路の一部として実装されているトーテムポール出力タイプのトライステート出力バッファ、１２ｊは前記増設装置１２上のアクティブＬＯＷのリセット信号線、１２ｋは本発明による前記増設装置１２上の複数のグランド信号線のうちの１本のグランド信号線、１２ｌは増設装置１１上の内部回路の一部として実装されているプルアップ抵抗、１２ｍは本発明によるアクティブＬＯＷの誤接続検出信号線である。
【００２７】
コネクタ付ケーブル１３において、１３ａは本発明によるコネクタ付ケーブル１３内の誤接続検出信号線、１３ｂは本発明によるコネクタ付ケーブル１３内の複数本あるうちの１本のグランド信号線である。
なお、コネクタ付ケーブル１３の両端のコネクタは、１本のグランド信号線１３ｂと誤接続検出信号線１３ａ以外の信号線はすべて同一ピン番号同士で接続（ストレート接続）されている。
また、主装置１１上では制御回路部１１ａに誤接続検出信号線１１ｊが入力されており、増設装置１２上では制御回路部１２ａに誤接続検出信号線１２ｍが入力されており、前記制御回路部１１ａ、１２ａはそれぞれ誤接続検出信号線の状態を検知することが可能である。
【００２８】
図４は、図３のケーブル誤接続保護手段を搭載した電子装置システムにおいて、ケーブル誤接続時の構成例を示した構成図であり、図中の各番号は図３と同一である。
図４においては、増設装置１２の内の増設装置（１）、増設装置（２）間のコネクタ付ケーブルが誤接続（ＯＵＴ端子同士が接続）されている。
【００２９】
次に、実施の形態２の動作について以下に説明する。
図３の如く正常に接続された状態において、電源ユニット等の異常を検出しない場合は、制御回路部からのリセット信号は出力されず（ノンアクティブ）、リセット信号線１１ｆ、１２ｊはＨｉｇｈレベルとなる。
その際、主装置１における制御回路部１１ａ、増設装置１２における制御回路部１２ａは、コネクタ付ケーブル１３を介してそれぞれの入力バッファ及びトライステート出力バッファを介してデータのやり取りを行っている。
一方、制御回路部からリセット信号が出力された場合（アクティブ）は、リセット信号線１１ｆ、１２ｊはＬｏｗレベルとなり、システムにおいてリセットが行われる。
また、誤接続検出信号線１１ｊ、１２ｍはプルアップ抵抗１１ｉ、１２ｌによりＨｉｇｈレベルとなり、誤接続検出ＬＥＤ１１Ｋは消灯したままであり、トライステート出力バッファは全て通常動作可能である。
【００３０】
図４で示すように増設装置２の内の増設装置（１）から増設装置（２）へのケーブル接続を間違えた時、増設装置１２においてコネクタ１２ｂ、１２ｃ間の信号線のうち誤接続検出信号線１２ｍとグランド信号線１２ｋはクロス接続されているため、増設装置（２）上のグランド信号線１２ｋが、主装置１１上の誤接続検出信号線１１ｊ及び増設装置（１）上の誤接続検出信号線１２ｍと接続され、ＬＯＷレベルとなる。
同様に、増設装置（２）上の誤接続検出信号線１２ｍは、増設装置（１）上のグランド信号線１２ｋと接続されＬＯＷレベルとなる。
よって、主装置１１及び複数の増設装置１２上の誤接続検出信号線がすべてアクティブとなるため、主装置１１の制御回路部１１ａ及び複数の増設装置１２上の制御回路部１２ａが誤接続を検出して誤動作を防止する処理をおこなうことが可能となる。
【００３１】
また、誤接続により、システム上のすべての誤接続検出信号線がＬＯＷレベルになったため、主装置１１上のトライステート出力バッファ１１ｈ及び複数の増設装置１２上のトライステート出力バッファ１２ｈ、１２ｉは、すべてハイインピーダンス状態となり出力がＯＦＦするため、出力同士の短絡によるバッファ破壊を防止できる。
同時に主装置１１上の誤接続検出用ＬＥＤ１１ｋが点灯するため、瞬時に誤接続が発生していることを通知できる。
【００３２】
以上のようにこの実施の形態２は、従来のコネクタ付ケーブルの内部配線を１本増やす、または未使用の１本を使用して誤接続検出信号線として割り当て、グランド信号線１本とクロス配線とし、同様に増設装置上の２つの増設用コネクタ間の信号配線を１本増やす、または未使用の１本を使用して誤接続検出信号線として割り当て、グランド信号線１本とクロス配線することにより、ケーブル誤接続時にその誤接続された個所の誤接続検出信号線とグランド信号線が短絡され誤接続検出信号線がＨＩＧＨレベル（誤接続未発生状態）からＬＯＷレベル（誤接続発生状態）に切り替わり、最終的にはシステム全体の誤接続検出信号線がＬＯＷレベル（誤接続発生状態））に切り替わるため、誤接続が発生していることが瞬時にすべての装置に伝わり、同時に装置が誤動作しないようにすることが可能となる。
また、誤接続検出専用の信号としたため、ＬＥＤ等の表示器にて誤接続が発生していることを、瞬時に使用者に通知することが可能となる。
【００３３】
加えて、主装置および増設装置内の内部回路の一部であるトーテムポール出力タイプの出力バッファをトーテムポール出力タイプのトライステート出力バッファに変更し、そのトライステート出力バッファの出力ＯＮ／ＯＦＦ制御ピンに誤接続検出信号線を接続することにより、ケーブル誤接続時にトライステート出力バッファの出力をＯＦＦできるため、前記トライステート出力バッファ破壊を防止する効果を奏する。
【００３４】
【発明の効果】
本発明によれば、主装置および増設装置上に搭載されている増設用コネクタの種類が全て同一の場合でも、コネクタ付ケーブルの線芯数やコネクタのピン数を増やすことなくケーブル誤接続を検出してシステムの誤動作を安価に防止することができる。
【００３５】
また、高速動作可能なトライステートバッファをもちいて、コネクタ付ケーブルの線芯数やコネクタのピン数を増やすことなくケーブル誤接続を検出してシステムの誤動作を安価に防止することができる。
【００３６】
さらに、上述の効果に加え、誤接続を容易に検出することができる。
【図面の簡単な説明】
【図１】  この発明による電子システムにおいて、ケーブル正常配線時の構成を示す構成図である。
【図２】  この発明による電子システムにおいて、ケーブル誤配線時の構成を示す構成図である。
【図３】  この発明による電子システムにおいて、ケーブル正常配線時の構成を示す構成図である。
【図４】  この発明による電子システムにおいて、ケーブル誤配線時の構成を示す構成図である。
【図５】  従来の電子システムにおけるケーブル正常配線時の構成を示す構成図である。
【符号の説明】
１、１１  主装置、２、１２  増設装置、３、１３  コネクタ付ケーブル、１ａ、１１ａ  制御回路部、１ｂ、１１ｂ  増設用コネクタ、１ｃ、１１ｃ  入力バッファ、１ｄ  オープンコレクタ出力のインバーターゲート、１ｅ、１１ｄ  プルアップ抵抗、１ｆ  リセット信号線、１ｇ、１１ｅ  グランド信号線、１ｈ、１１ｆ  トーテムポール出力タイプのトライステート出力バッファ、１１ｇ  誤接続検出信号線、１１ｈ  誤接続検出ＬＥＤ、２ａ、１２ａ  制御回路部、２ｂ、２ｃ、１２ｂ、１２ｃ  増設用コネクタ、２ｄ、２ｅ、１２ｄ、１２ｅ  入力バッファ、２ｆ、１２ｆ  プルアップ抵抗、２ｇ  オープンコレクタ出力のインバーターゲート、２ｈ、２ｉ、１２ｇ、１２ｈ  トーテムポール出力タイプのトライステート出力バッファ、２ｊ  リセット信号線、２ｋ、１２ｉ  グランド信号線、１２ｊ  誤接続検出信号線、３ａ  ケーブル内リセット信号線、３ｂ、１３ａ  ケーブル内グランド信号線、１３ｂ  誤接続検出信号線。
【図１】
0003769986.tif 000002
【図２】
0003769986.tif 000003
【図３】
0003769986.tif 000004
【図４】
0003769986.tif 000005
【図５】
0003769986.tif 000006